(57)【要約】【課題】豪雪地帯でも茸の栽培を適切かつ簡単に行うことができる茸栽培ハウスを提供する。【解決手段】茸栽培ハウス１は、ハウスの長手方向に直交する断面が、２辺が屋根となり２辺が側壁となる略正五角形の形状を有している。茸栽培ハウス１は、ガラス製の屋根１０と、ハウス内の温度を調整する温調装置８０と、を有している。また、茸栽培ハウス１は、ハウス内の茸栽培エリア４０ａを覆う遮光シート６０を有している。茸栽培ハウス１は、一階に栽培室４０を有し、二階に乾燥室４１を有している。【選択図】図２
0003190303.tif 000002
【実用新案登録請求の範囲】
【請求項１】
茸栽培ハウスであって、
ハウスの長手方向に直交する断面が、２辺が屋根となり２辺が側壁となる略正五角形の形状を有し、
ガラス製の屋根と、
ハウス内の温度を調整する温調装置と、を有する茸栽培ハウス。
【請求項２】
ハウス内の茸栽培エリアを覆う遮光シートをさらに有する、請求項１に記載の茸栽培ハウス。
【請求項３】
前記温調装置は、前記遮光シートの外側に設けられている、請求項２に記載の茸栽培ハウス。
【請求項４】
一階に栽培室を有し、
二階に乾燥室を有する、請求項１〜３のいずれかに記載の茸栽培ハウス。
【請求項５】
前記側壁は、ハウス内とハウス外との間の通気を行う開閉機構を有する、請求項１〜４のいずれかに記載の茸栽培ハウス。
【考案の詳細な説明】
【技術分野】
【０００１】
本発明は、茸栽培ハウスに関する。
【背景技術】
【０００２】
近年椎茸などの茸の菌床栽培が盛んに行われている。これらの茸の栽培は、寒冷地などではビニールハウスを用いて行われている（特許文献１参照）。
【先行技術文献】
【特許文献】
【０００３】
【特許文献１】特開２００７−１９５４７６号公報
【考案の概要】
【考案が解決しようとする課題】
【０００４】
しかしながら、例えば豪雪地帯では、雪でビニールハウスが埋もれて潰れたり、室内が低温になるため、冬場に茸の栽培を行うのは難しい。このため、豪雪地帯は茸の栽培に適していないと考えられている。
【０００５】
本考案はかかる点に鑑みてなされたものであり、豪雪地帯でも茸の栽培を適切かつ簡単に行うことができる茸栽培ハウスを提供することをその目的とする。
【課題を解決するための手段】
【０００６】
上記目的を達成するための本考案は、茸栽培ハウスであって、ハウスの長手方向に直交する断面が、２辺が屋根となり２辺が側壁となる略正五角形の形状を有し、ガラス製の屋根と、ハウス内の温度を調整する温調装置と、を有する茸栽培ハウスである。
【０００７】
前記茸栽培ハウスは、ハウス内の茸栽培エリアを覆う遮光シートをさらに有していてもよい。
【０００８】
前記茸栽培ハウスにおける前記温調装置は、前記遮光シートの外側に設けられていてもよい。
【０００９】
前記栽培ハウスは、一階に栽培室を有し、二階に乾燥室を有していてもよい。
【００１０】
前記栽培ハウスにおける前記側壁は、ハウス内とハウス外との間の通気を行う開閉機構を有していてもよい。
【考案の効果】
【００１１】
本考案によれば、豪雪地帯でも茸の栽培を適切かつ簡単に行うことができる。
【図面の簡単な説明】
【００１２】
【図１】茸栽培ハウスの斜視図である。
【図２】茸栽培ハウスの縦断面図である。
【図３】茸栽培ハウスの横断面図である。
【図４】側壁の開閉機構が開いた状態の茸栽培ハウスの縦断面図である。
【図５】複数の茸栽培ハウスを繋げた場合の斜視図である。
【考案を実施するための形態】
【００１３】
以下、図面を参照して、本考案の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本考案を説明するための例示であり、本考案はこの実施の形態に限定されるものではない。
【００１４】
図１は、本実施の形態に係る茸栽培ハウス１の一例を示す斜視図であり、図２は、茸栽培ハウス１の縦断面図であり、図３は、茸栽培ハウス１の横断面図である。
【００１５】
図１及び図２に示すように茸栽培ハウス１は、正面、或いはハウスの長手方向（棟方向）に垂直の断面が略正五角形となる形状を有している。つまり、茸栽培ハウス１の上面の屋根１０の二辺と、側壁１１の二辺と、地面の１辺によって略正五角形を形成している。
【００１６】
屋根１０は、棟１２から２方向に斜めに傾斜している。屋根１０は、例えば全面ガラス張りであり、外部の光をハウス内に取り込むことができる。
【００１７】
側壁１１は、例えば縦方向に並べられた木製又は樹脂製の複数のパネル２０から構成されている。パネル２０は、例えば図４に示すようにハウスの長手方向の水平軸の周りに回動自在であり、ハウス内とハウス外の間の通気を行う開閉機構２１として機能する。なお、側壁１１の材質は特に限定されず、他の材質であってもよい。
【００１８】
図１及び図３に示すように茸栽培ハウス１は、正面壁１３と裏面壁１４に、ハウス内に出入りするため、或いは物を搬入出するための扉３０を備えている。
【００１９】
茸栽培ハウス１は、図２に示すように例えば一階に栽培室４０を有し、二階に乾燥室４１を有している。一階と二階は、例えば屋根１０と側壁１１の接続部分に設けられた床板４２により仕切られている。なお、図示しないが一階と二階との間には階段が設けられている。
【００２０】
栽培室４０の中央の栽培エリア４０ａには、図２及び図３に示すように栽培台５０が設けられ、その上に下地材５１を介して茸の菌床５２を載置できる。下地材５１は、細長の直方体形状を有し、角部が上に向けられている。栽培台５０と下地材５１は、例えば木製のものが使用される。
【００２１】
栽培室４０には、栽培エリア４０ａの四方の側面と上面を覆う遮光シート６０が設けられている。遮光シート６０には、例えば通気性のある網状のものが用いられる。遮光シート６０は、天井面から吊るされたシート吊止部６１に掛けられ吊るされている。シート吊止部６１は、例えば図３に示すように方形の枠状に形成されている。
【００２２】
乾燥室４１には、図２に示すように左右に複数段の棚７０が設けられている。茸を入れたコンテナ７１を棚７０に入れて茸を乾燥させることができる。
【００２３】
乾燥室４１には、茸栽培ハウス１内の温度を調整するエアコンなどの温調装置８０が設けられている。
【００２４】
次に、以上のように構成された茸栽培ハウス１において茸としての例えば椎茸を栽培する例を説明する。
【００２５】
先ず、温調装置８０により茸栽培ハウス１内を椎茸の発生に適した温度に調整し維持する。また、必要に応じて側壁１１のパネル２０を開閉し、栽培室４０の湿度や風通しを調整する。そして、遮光シート６０で仕切られた栽培エリア４０ａの栽培台５０上に椎茸の菌床５２を載置する。所定期間放置すると、椎茸が発生し、所定の大きさに成長したものを採取する。また、乾燥室４１では、菌床５２から採取した椎茸をコンテナ７１に入れ、それを棚７０に入れて乾燥させる。
【００２６】
本実施の形態によれば、茸栽培ハウス１が、ハウスの長手方向に直交する断面が略正五角形の形状を有し、ガラス製の屋根１０と、ハウス内の温度を調整する温調装置８０を有している。これにより、豪雪地帯において雪が降った際には、図４に示すように雪が屋根１０のガラスにより滑るので、雪を屋根１０から地面に落下させることができる。このとき、五角形の１辺の側壁１１が、内側に向けて斜めに傾斜しているので、落下した雪が側壁１１に沿って積りハウスが雪で埋もれることを防止できる。また、屋根１０のガラスを透過した光によりハウス内が暖められるので、ハウス内が比較的温暖に保たれる。加えて空調装置８０によりハウス内を椎茸の発生に適した温度に最適化できる。したがって、豪雪地帯でも椎茸の栽培を適切に行うことができる。
【００２７】
栽培室４０に栽培エリア４０ａを覆う遮光シート６０が設けられているので、屋根１０のガラスから入る光が菌床５２に直接照射されることを防止できる。よって、椎茸栽培を適切に行うことができる。
【００２８】
温調装置８０が遮光シート６０の外側に設けられているので、空調により生じる風により菌床５２に悪影響を与えることを抑制できる。
【００２９】
茸栽培ハウス１は、一階に栽培室４０を有し、二階に乾燥室４１を有しているので、例えば二階の乾燥室４１において温調装置８０の空調と、屋根１０のガラスから入る光を利用して椎茸の乾燥を行うことができる。また、２階を作ることで、屋根１０のガラスからの直射日光が栽培室４０に入ることを抑制できる。
【００３０】
側壁１１が、ハウス内とハウス外との間の通気を行う開閉機構２１を有しているので、栽培室４０内の風通しや湿度を調整でき、最適な環境で椎茸を栽培できる。
【００３１】
以上、添付図面を参照しながら本考案の好適な実施の形態について説明したが、本考案はかかる例に限定されない。当業者であれば、登録実用新案請求の範囲に記載された思想の範疇内において、各種の変更例または修正例に想到し得ることは明らかであり、それらについても当然に本考案の技術的範囲に属するものと了解される。
【００３２】
例えば以上の実施の形態における茸栽培ハウス１は他の構成を有してもよい。例えば一階建で乾燥室を備えないものであってもよい。また、図５に示すように複数の茸栽培ハウス１を長手方向に接続して使用してもよい。上記実施の形態では、椎茸栽培の例を説明したが、他の茸の栽培にも本考案は適用できる。また、菌床栽培のみならず原木栽培にも適用できる。また、本考案の椎茸栽培ハウス１は、豪雪地帯以外の地域にも使用できるし、夏場にも使用できる。
【符号の説明】
【００３３】
１  茸栽培ハウス
１０  屋根
１１  側壁
２０  パネル
２１  開閉機構
３０  扉
４０  栽培室
４０ａ  栽培エリア
４１  乾燥室
５０  栽培台
５１  下地材
５２  菌床
６０  遮光シート
６１  シート吊止部
７０  棚
８０  温調装置
【図１】
0003190303.tif 000003
【図２】
0003190303.tif 000004
【図３】
0003190303.tif 000005
【図４】
0003190303.tif 000006
【図５】
0003190303.tif 000007